【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
第一波長帯域の第一光源（２１）と、
第二波長帯域の第２光源（２２）と、を有し、
酸素化血による前記第一波長帯域の吸光度は前記第二波長帯域の吸光度より大きくかつ脱酸素化血による前記第一波長帯域の吸光度は前記第二波長帯域の吸光度より小さく、
前記第一光源および前記第二光源からの光を眼（１０）の網膜の一部上に選択的に合焦させる手段（３０、５０、６０、８０、９０）と、
それぞれの波長帯域で照明された網膜の一部のそれぞれのイメージを作るためのイメージング手段（８０、９０、１２０、１３０）と、
該イメージング手段により得られた前記それぞれのイメージを処理するための処理手段（１４０）と、を更に有し、
該処理手段（１４０）は、前記第一波長の光の吸収が前記第二波長の光の吸収に実質的に等しくかつそれぞれのイメージの領域が前記第一波長および前記第二波長について異なる吸光度を有する、前記それぞれのイメージの同位反射点を決定し、ヘモグロビン酸素化に基いて網膜機能イメージを得ること、
を特徴とする網膜機能カメラ（１０１）。
【請求項２】
前記処理手段（１４０）は、
前記第一波長および前記第二波長で異なる吸光度をもつ前記それぞれのイメージの領域がちらつくように所定周波数で交互にイメージを表示する手段を、有していること
を特徴とする請求項１記載の網膜機能カメラ。
【請求項３】
前記所定周波数は１２Ｈｚであること
を特徴とする請求項２記載の網膜機能カメラ。
【請求項４】
前記第一波長帯域および第二波長帯域は、
４８８ｎｍと１０００ｎｍとの間で選択されて機能イメージを作ること
を特徴とする請求項１〜３のいずれか１項記載の網膜機能カメラ。
【請求項５】
前記第一波長帯域は実質的に８３０ｎｍに中心を有しかつ前記第二波長帯域は実質的に６３５ｎｍ、６７０ｎｍおよび７６０ｎｍの１つに中心を有し、
または前記第一波長帯域は実質的に９１０ｎｍに中心を有しかつ前記第二波長帯域は実質的に６３５ｎｍ、６７０ｎｍおよび７６０ｎｍの１つに中心を有すること
を特徴とする請求項１〜４のいずれか1項記載の網膜機能カメラ。
【請求項６】
慣用イメージを作るため、５５０〜６５０ｎｍの波長帯域の光を発生する超ルミネッセンスダイオード（２３）の配列が設けられており、
前記第二波長帯域は７００〜８０５ｎｍでありかつ前記第一波長帯域は８０５〜１０００ｎｍであること
を特徴とする請求項１〜４のいずれか1項記載の網膜機能カメラ。
【請求項７】
前記処理手段（１４０）は、
前記第一波長帯域および第二波長帯域により創成されるそれぞれのイメージと前記慣用イメージとにそれぞれ偽色を割当て、かつ３つのイメージを組合せて結合カラーイメージを形成する手段を有していること
を特徴とする請求項６記載の網膜機能カメラ。
【請求項８】
前記第一光源はレーザであること
を特徴とする請求項１記載の網膜機能カメラ。
【請求項９】
前記第二光源はレーザであること
を特徴とする請求項１記載の網膜機能カメラ。
【請求項１０】
前記第一および第二光源（２１、２２）は、
放射される光の波長を制限するための狭帯域通過フィルタが設けられた超ルミネッセンスダイオードであること
を特徴とする請求項１記載の網膜機能カメラ。
【請求項１１】
近赤外光から可視光のスペクトルの波長を放射する広帯域スペクトル光源が設けられ、前記第一および第二光源（２１、２２）は、広帯域スペクトル光を狭帯域通過フィルタに通すことにより作られること
を特徴とする請求項１記載の網膜機能カメラ。
【請求項１２】
前記第一光源および第二光源からの光を選択的に合焦させる手段は、
前記第一および第二光源からの光を合焦させかつ前記第一および第二光源のスイッチを交互に連続的にオン／オフさせる手段を、有していること
を特徴とする請求項１〜１１のいずれか１項記載の網膜機能カメラ。
【請求項１３】
前記第一光源および第二光源からの光を選択的に合焦させる手段は、
前記第一および第二光源からの光を合焦させる手段と、
それぞれ前記第一および第二光源からの光を交互に遮断するシャッタ手段と、を有していること
を特徴とする請求項１〜１１のいずれか１項記載の網膜機能カメラ。
【請求項１４】
前記処理手段（１４０）は、
イメージと早期に形成された基準イメージとを比較する手段を、有していること
を特徴とする請求項１〜１３のいずれか1項記載の網膜機能カメラ。
【請求項１５】
前記処理手段（１４０）は、
前記イメージと前期基準イメージとを整合させるパターン認識手段を、有していること
を特徴とする請求項１４記載の網膜機能カメラ。
【請求項１６】
前記処理手段（１４０）は、
前記同位反射点よりも大きい酸素化を有する網膜の部分に一致する、前記第一および第二波長について異なる吸光度を有するそれぞれのイメージの第一領域に第一偽色を割当て、
前記同位反射点よりも小さい酸素化を有する網膜の部分に一致する、前記第一および第二波長について異なる吸光度を有するそれぞれのイメージの第二領域に第二偽色を割当て、
かつ前記それぞれの点での酸素化と前記同位反射点での酸素化との差異に比例する偽色の強度を、前記イメージの各点に発生させる手段を、有すること
を特徴とする請求項１〜１３のいずれか１項記載の網膜機能カメラ。
【請求項１７】
前記光を合焦させる手段は、
網膜の少なくとも一部を横切る合焦光を走査する走査手段（１５０、１７０）を、有していること
を特徴とする請求項１６記載の網膜機能カメラ。
【請求項１８】
前記第一光源（２１）および／または第二光源（２２）の波長または出力は、
前記同位反射点をチューニングすべく変化できること
を特徴とする請求項１６記載の網膜機能カメラ。
【請求項１９】
前記処理手段（１４０）は、
最大酸素化の網膜イメージの部分と最大脱酸素化の網膜イメージの部分とを識別することにより酸素化のキャリブレーションを行なう手段を、有していること
を特徴とする請求項１〜１８のいずれか１項記載の網膜機能カメラ。
【請求項２０】
前記光を合焦させる手段は、
前記網膜の少なくとも一部を横切る合焦光を走査する走査手段（１５０、１７０）を、有していること
を特徴とする請求項１記載の網膜機能カメラ。
【請求項２１】
前記走査手段は、
前記網膜の少なくとも一部を水平方向に横切って合焦光を走査する第一走査手段（１５０）と、
前記網膜の少なくとも一部を垂直方向に横切って合焦光を走査する第二走査手段（１７０）とを、有すること
を特徴とする請求項２０記載の網膜機能カメラ。
【請求項２２】
前記第一走査手段（１５０）は、
回転可能な多面ミラーおよび振動可能な平面ミラーのうちの１つを、有していること
を特徴とする請求項２０または２１記載の網膜機能カメラ。
【請求項２３】
前記第二走査手段（１７０）は、
ガルバノメータスキャナを、有していること
を特徴とする請求項２１または２２記載の網膜機能カメラ。
【請求項２４】
前記第一同期手段は、
前記第一および第二走査手段（１５０、１７０）と、
前記第一光源（２６）および第二光源（２７）を選択的に作動させる選択手段と、を同期させるべく設けられていること
を特徴とする請求項２１〜２３のいずれか１項記載の網膜機能カメラ。
【請求項２５】
前記第一および第二走査手段（１５０、１７０）とイメージング／処理手段（１４１）とを同期させるための、第二同期手段が設けられていること
を特徴とする請求項２１〜２４のいずれか１項記載の網膜機能カメラ。
【請求項２６】
前記第一および第二走査手段（１５０、１７０）は、
前記網膜から反射された光を再走査しかつ該再走査された光を前記イメージング／処理手段（１４１）に反射すること
を特徴とする請求項２１〜２５のいずれか１項記載の網膜機能カメラ。
【請求項２７】
前記第一および第二走査手段（１５０、１７０）は、
テレビジョンイメージの形成に前記イメージング／処理手段（１４１）を使用できるように、テレビジョン走査周波数に一致する周波数で作動すること
を特徴とする請求項２１〜２６のいずれか１項記載の網膜機能カメラ。
【請求項２８】
網膜表面イメージを検出しかつ深い脈絡網イメージを遮断するための、前記イメージング／処理手段（１４１）の上流側に配置できる共焦点フィルタと、
網膜表面イメージを遮断しかつ深い脈絡網イメージを検出できる、前記イメージング／処理手段の上流側に配置できるアンチ共焦点フィルタとを、更に有すること
を特徴とする請求項１〜２７のいずれか１項記載の網膜機能カメラ。
【請求項２９】
第一直線偏光フィルタが前記光源（２６、２７）と前記眼（１０）との間に設けられ、
かつ該第一直線偏光フィルタに直交する第二直線偏光フィルタが眼（１０）と前記イメージング／理手段（１４１）との間に設けられており、
前記第二直交偏光フィルタが、前記眼（１０）の表面から反射される光を遮断すること
を特徴とする請求項１〜２８のいずれか１項記載の網膜機能カメラ。
【請求項３０】
前記第一光源からの第一レーザビームおよび前記第二光源からの第二レーザビームが、網膜機能カメラの光学的アクセスにアクセスすることを可能にする、光ビーム加算器（２８）を、更に有すること
を特徴とする請求項８または９記載の網膜機能カメラ。
【請求項３１】
前記処理手段（１４０）は、
前記第一光源（２１）および前記第二光源（２２）により放射される光に感応するイメージングデバイスを有していること
を特徴とする請求項１〜３０のいずれか1項記載の網膜機能カメラ。
【請求項３２】
前記イメージングデバイスは、
ＣＭＯＳ配列、ＣＣＤ配列、光電検出器または赤外イメージセンサの１つであること
を特徴とする請求項３１記載の網膜機能カメラ。
【請求項３３】
前記第一光源（２１）からの光および前記第二光源（２２）からの光から点光源を作るための光ファイバおよびレンズ手段を、更に有すること
を特徴とする請求項１〜３２のいずれか1項記載の網膜機能カメラ。
【請求項３４】
前記深い脈絡網イメージを遮断している間に網膜表面イメージを検出することを可能にする、前記イメージング／処理手段（１４１）の上流側に配置できる、共焦点フィルタを、更に有すること
を特徴とする請求項１〜３３のいずれか１項記載の網膜機能カメラ。
【請求項３５】
網膜表面イメージを遮断し、これにより深い脈絡網イメージを検出できるようにするための、前記メージング／処理手段（１４１）の上流側に配置できる、アンチ共焦点フィルタを、更に有すること
を特徴とする請求項１〜３４のいずれか１項記載の網膜機能カメラ。
【請求項３６】
前記メージング／処理手段（１４１）と患者の心電図のＲ波とを同期させ、心周期の種々のフェーズでの網膜代謝を検査できるようにする同期化手段が設けられていることを特徴とする請求項１〜３５のいずれか1項記載の網膜機能カメラ。
【請求項３７】
前記処理手段（１４１）は、
前記同位反射点よりも大きい酸素化を有する網膜の部分に一致する、第一および第二波長について異なる吸光度を有するそれぞれのイメージの第一領域に、第一偽色を割当て、
かつ前記同位反射点よりも小さい酸素化を有する網膜の部分に一致する、第一および第二波長について異なる吸光度を有するそれぞれのイメージの第二領域に、第二偽色を割当て、
かつ前記それぞれの点での酸素化と前記同位反射点での酸素化との差異に比例する偽色の強度を、前記イメージの各点に発生させる手段を、有すること
を特徴とする請求項２０〜２７のいずれか１項記載の網膜機能カメラ。